(57)【特許請求の範囲】
【請求項１】
遊技店の遊技媒体の貸出に関連する取引のデビット決済要求を公衆回線を介して情報処理センタに送信するとともに、該情報処理センタからデビット決済された取引の取引情報並びに該取引情報を所定の期間で集計した集計結果を受信するデビット端末装置であって、
前記情報処理センタから受信した取引情報を記憶する記憶手段と、
前記情報処理センタにより取引を集計する際の基準時刻に基づいて、前記記憶手段に記憶した前記所定の期間の取引情報を集計する集計手段と
を備えたことを特徴とするデビット端末装置。
【請求項２】
前記集計手段により集計された集計結果と前記情報処理センタから受信した集計結果とを照合可能に出力する出力手段をさらに備えたことを特徴とする請求項１に記載のデビット端末装置。
【請求項３】
前記所定の期間は、１日または１月であることを特徴とする請求項１または２に記載のデビット端末装置。
【請求項４】
遊技店の遊技媒体の貸出に関連する取引のデビット決済要求を公衆回線を介して情報処理センタに送信するとともに、該情報処理センタからデビット決済された取引の取引情報並びに該取引情報を所定の期間で集計した集計結果を受信するデビット端末装置のデビット集計方法であって、
前記情報処理センタから受信した取引情報を記憶する記憶工程と、
前記情報処理センタにより取引を集計する際の基準時刻に基づいて、前記記憶工程により記憶した前記所定の期間の取引情報を集計する集計工程と
を含んだことを特徴とするデビット集計方法。
【請求項５】
前記集計工程により集計された集計結果と前記情報処理センタから受信した集計結果とを照合可能に出力する出力工程をさらに含んだことを特徴とする請求項４に記載のデビット集計方法。
【請求項６】
前記所定の期間は、１日または１月であることを特徴とする請求項４または５に記載のデビット集計方法。
【請求項７】
前記請求項４〜６に記載された方法をコンピュータに実行させるプログラム。
【発明の詳細な説明】
【０００１】
【発明の属する技術分野】
本発明は、遊技店の遊技媒体の貸出に関連する取引のデビット決済要求を公衆回線を介して情報処理センタに送信するとともに、該情報処理センタからデビット決済された取引の取引情報並びに該取引情報を所定の期間で集計した集計結果を受信するデビット端末装置、デビット集計方法およびプログラムに関し、特に、情報処理センタから取得したデビット決済の集計結果の妥当性を遊技店側で正確かつ迅速に把握することができるデビット端末装置、デビット集計方法およびプログラムに関する。
【０００２】
【従来の技術】
現在、パチンコ機やパチスロ機等の遊技機を設置した遊技店で遊技を行う場合には、カード発行機から一旦記録媒体、例えばプリペイドカードを購入し、このプリペイドカードに付与された有価価値に応じてパチンコ玉やメダル等の遊技媒体を借り受ける方法が主流である。
【０００３】
しかし、プリペイドカードを現金でしか購入できないとすると、たとえ金融機関の預貯金残高を多く持つ遊技客であっても、手持ちの現金がなくなった時点で、金融機関に行って預貯金を下ろさねばならないため、継続して遊技をすることができなくなる。
【０００４】
このため、現金でプリペイドカードを購入するのではなく、従前のデビット決済システムを応用してデビットカード（銀行、郵便局などの金融機関が発行するキャッシュカード）でプリペイドカードを購入できるようにすることも考えられる。具体的には、遊技店内のカード発行機にデビット端末を隣接配置し、このデビット端末を店舗外部の決済センタ（情報処理センタ）と回線接続して、デビットカードによりプリペイドカードを購入できるようにすることになる。
【０００５】
ところで、一般的なデビット決済システムでは、情報処理センタ（決済センタ）が、決済依頼元（遊技店）のデビット端末から依頼されたデビット決済に関する取引情報（売上情報）を例えば１日単位で集計し、この集計結果（売上集計結果）を決済依頼元のデビット端末に送信するようにしている。
【０００６】
すなわち、情報処理センタは、たとえば午前０時を基準時刻として、当日の０時から２４時（翌日の０時）までの２４時間の間に取引されたデビット決済を機械的に集計処理して一日分の集計結果を算出することになる。
【０００７】
【発明が解決しようとする課題】
しかしながら、各遊技店では、１日ごとの集計結果を情報処理センタから受け取ることができるものの、その集計結果が適切なものであるか否かを遊技店側で効率良く調べることができないという問題がある。
【０００８】
具体的には、遊技店では、現金の場合と同様に営業を終了した時点で係員の操作によりデビット決済の集計をおこなっているが、この係員の操作時点が情報処理センタの基準時刻である午前０時と異なる場合には、係員による集計結果と情報処理センタから受け付けた集計結果に差異が生ずるため、係員は日をまたがったチェックをおこなわねばならず、多大の労力を要することになる。
【０００９】
特に、現在の多くのパチンコ店のように、午前１０時〜午後１１時まで営業する場合ではなく終日営業をおこなう場合を考えると、かかる差異が大きな問題となる。また、情報処理センタの基準時刻を午後１１時とすると、やはり両者の差異が大きな問題となる。かかる差異を営業時間や情報処理センタの基準時刻により吸収することとしたのでは、将来の営業時間の変更などが生じた場合に問題が生ずることになる。
【００１０】
この発明は、上記問題点を解決するためになされたものであって、情報処理センタから取得したデビット決済の集計結果の妥当性を遊技店側で正確かつ迅速に把握することができるデビット端末装置、デビット集計方法およびプログラムを提供することを目的とする。
【００１１】
【課題を解決するための手段】
上記した課題を解決し、目的を達成するため、請求項１の発明にかかるデビット端末装置は、遊技店の遊技媒体の貸出に関連する取引のデビット決済要求を公衆回線を介して情報処理センタに送信するとともに、該情報処理センタからデビット決済された取引の取引情報並びに該取引情報を所定の期間で集計した集計結果を受信するデビット端末装置であって、前記情報処理センタから受信した取引情報を記憶する記憶手段と、前記情報処理センタにより取引を集計する際の基準時刻に基づいて、前記記憶手段に記憶した前記所定の期間の取引情報を集計する集計手段とを備えたことを特徴とする。
【００１２】
また、請求項２の発明にかかるデビット端末装置は、請求項１の発明において、前記集計手段により集計された集計結果と前記情報処理センタから受信した集計結果とを照合可能に出力する出力手段をさらに備えたことを特徴とする。
【００１３】
また、請求項３の発明にかかるデビット端末装置は、請求項１または２の発明において、前記所定の期間は、１日または１月であることを特徴とする。
【００１４】
また、請求項４の発明にかかるデビット集計方法は、遊技店の遊技媒体の貸出に関連する取引のデビット決済要求を公衆回線を介して情報処理センタに送信するとともに、該情報処理センタからデビット決済された取引の取引情報並びに該取引情報を所定の期間で集計した集計結果を受信するデビット端末装置のデビット集計方法であって、前記情報処理センタから受信した取引情報を記憶する記憶工程と、前記情報処理センタにより取引を集計する際の基準時刻に基づいて、前記記憶工程により記憶した前記所定の期間の取引情報を集計する集計工程とを含んだことを特徴とする。
【００１５】
また、請求項５の発明にかかるデビット集計方法は、請求項４の発明において、前記集計工程により集計された集計結果と前記情報処理センタから受信した集計結果とを照合可能に出力する出力工程をさらに含んだことを特徴とする。
【００１６】
また、請求項６の発明にかかるデビット集計方法は、請求項４または５の発明において、前記所定の期間は、１日または１月であることを特徴とする。
【００１７】
また、請求項７の発明に係るプログラムは、請求項４〜６のいずれか一つに記載された方法をコンピュータに実行させることで、そのプログラムを機械読み取り可能となり、これによって、請求項４〜６のいずれか一つの動作をコンピュータによって実現することができる。
【００１８】
【発明の実施の形態】
以下に添付図面を参照して、この発明にかかるデビット端末装置、デビット集計方法およびプログラムの好適な実施の形態を詳細に説明する。
【００１９】
（実施の形態１）
図１は、本発明の実施の形態１である遊技システムの概略構成を示すブロック図である。ここで、本実施の形態の遊技システムでは、記録媒体として会員カードＭＣ、プリペイドカードＰＣを適用する。
【００２０】
会員カードＭＣは、住所や氏名等の会員情報を登録した会員である遊技客に対して遊技店が発行する合成樹脂製のカード（ＪＩＳ２）であり、各種情報が磁気記録及び印字してある。擬態的には、発行店の識別情報や会員コード等の会員識別情報が磁気記録してあると共に、発行した店コード、会員コード等の情報が印字してあり、記録内容の一部を目視できるようになっている。
【００２１】
一方、プリペイドカードＰＣとは、遊技客に対して遊技店が都度発行する紙製などの磁気カードであり、各種情報が磁気記録及び印字してある。具体的には、発行店の識別情報、カード固有の識別コード、発行金額、カード種別等が磁気記録してあると共に、発行店、カード固有識別情報（例えば発行機番号＋連番）、発行金額及び有効期限等が目視できるように印字してある。
【００２２】
これら会員カードＭＣ及びプリペイドカードＰＣは、その材質や板厚及び記録内容が相違するものの、縦横の寸法が同一であるとともに、各種情報を磁気記録するための磁気ストライプも同一の位置に設けてある。
【００２３】
また、会員カードＭＣ、プリペイドカードＰＣには、それぞれパチンコ玉を借り受ける際の基準となる有価価値、具体的には「度数」と称される有価価値を付与してある。ここでいう「度数」とは、パチンコ玉の貸出処理単位であり、所定のレートで設定してある。一般的には、１度数が１００円に対応し（例えば、３０００円のプリペイドカードには、３０度数が付与される）、１度数でパチンコ玉２５個だけ貸し出すように設定してある。本実施の形態の場合、その度数は、個々のプリペイドカードには記録せず、後述するターミナルコントローラ１０に記憶させてある。
【００２４】
なお、この実施形態では、会員カードＭＣあるいはプリペイドカードＰＣには、後述するデビット子機７０によるデビット決済により入金された入金金額に応じた有価価値を価値付けすることができる。
【００２５】
図１に示すように、本実施の形態の遊技システムでは、それぞれ「島」と呼ばれるグループごとに複数のパチンコ機２０が並設してあると共に、各島にカード処理ユニット３０、カード発行機４０、カード精算機５０等の記録媒体処理装置が適宜設けてある。
【００２６】
パチンコ機２０は、パチンコ玉を遊技領域に発射して利用客が遊技を行う部分である。カード処理ユニット３０は、挿入される会員カードあるいはプリペイドカードに関連付けられた度数の残数（以下、残度数という）を上限とするパチンコ玉の貸し出し処理を主機能とするものである。このカード処理ユニット３０は、遊技店に設置された複数のパチンコ機２０それぞれに対して１台ずつペアとなるように用意され、パチンコ機２０の相互間に挟まれる形で設置してある。
【００２７】
カード発行機４０は、現金決済あるいは後述するデビット子機７０によるデビット決済により入金された場合に、その入金金額に応じた有価価値（度数）が関連付けられるプリペイドカードの発行処理、並びに会員カードあるいはプリペイドカードに関連付けられた度数に対する加算処理を主機能とするものであり、遊技店に数台ずつ設置してある。遊技客は、カード発行機４０から発行されたプリペイドカードや、新たな度数が加算された会員カードあるいはプリペイドカードをカード処理ユニット３０に挿入して、遊技媒体例えばパチンコ玉を借り受けることで、パチンコ遊技を行うことが可能となる。カード精算機５０は、会員カードあるいはプリペイドカードに関連付けられた有価価値（度数）を現金として払い戻す処理を主機能とするものである。
【００２８】
これらのパチンコ機２０、カード処理ユニット３０、カード発行機４０及びカード精算機５０は、各島に設けた島コントローラ６０を通じてターミナルコントローラ１０と称される管理装置の制御下にある。このターミナルコントローラ１０は、遊技店に少なくとも１台設置してあり、設置した遊技店の統括管理、例えばカード管理、会員の管理、売上管理等を行うと共に、会員カードやプリペイドカードに関連付けられた有価価値に関する情報を記憶管理する部分である。
【００２９】
デビット子機７０（特許請求の範囲に記載のデビット端末に対応）は、カード発行機４０に付設されると共に、公衆回線網１０００を介して情報処理センタ１００１と接続される。このデビット子機７０は、公衆回線網１０００を介して情報処理センタ１００１との間で、デビット決済に関する決済情報（この詳細な内容については後述する）を送受信するように設定してある。
【００３０】
図２は、ターミナルコントローラ１０の内部構成を示すブロック図である。
ターミナルコントローラ１０は、ＣＰＵ１１、ＲＡＭ１２、ＲＯＭ１３、入力部１４、表示部１５及び通信インタフェース部１６を有している。
【００３１】
ＣＰＵ１１は、プログラムやデータに基づいて各種機能を実現している。例えばプリペイドカードＰＣや会員カードＭＣ毎の度数を管理する機能、デビット子機７０からの集計処理結果の表示依頼に基づいてその集計処理結果を表示部１５に表示させる機能を有する。このような機能を実現するにあたって必要となるプログラム及びデータは、ＲＡＭ１２あるいはＲＯＭ１３に格納されており、ＣＰＵ１１が必要に応じてこれを読み出しまたは更新する。
【００３２】
ＲＡＭ１２は度数管理テーブル１２０を記憶している。この度数管理テーブル１２０の一例を、図３に示す。図３に示す度数管理テーブル１２０は、プリペイドカードＰＣに関する情報を示したものであり、現金決済分の情報１２１と、デビット決済分の情報１２２とから構成されている。デビット決済分の情報１２２の購入度数は、後述するデビット子機７０によるデビット決済により入金された金額相当分の度数（有価価値）を示すものである。なお、会員カードＭＣに関する情報についても、上記プリペイドカードＰＣに関する情報の場合と同様のフォーマットで管理される。この場合、カード固有識別コードに代替して会員コードが登録されることとなる。
【００３３】
次に、カード発行機４０及びこれに付設されるデビット子機７０について説明する。図４は、本実施の形態で適用するデビット子機７０およびカード発行機４０の外観を示した正面図であり、図５は、カード発行機４０の内部構成を示すブロック図であり、図６はデビット子機７０の内部構成を示すブロック図である。
【００３４】
本実施の形態１では、図４に示すように、カード発行機４０及びデビット子機７０を、それぞれ個別の筐体４１、７１に別々のユニットとして設けてある。カード発行機４０の筐体４１及びデビット子機７０の筐体７１は、それぞれの前面に開閉可能な扉体４２、７２を備えて構成してある。各扉体４２、７２は、筐体４１、７１との間に主錠手段４３、７３が設けてあり、閉成した状態で施錠することが可能である。
【００３５】
次に、図４及び図５を参照しながらカード発行機４０を説明する。カード発行機４０は、筐体４１の前面に設けた扉体４２に会員カード挿入／返却口４４、プリペイドカード発行口４５、紙幣挿入／返却口４６、選択スイッチ４７、取消スイッチ４８、表示部４９及びハンディ収容凹部４２ａを備えている。
【００３６】
会員カード挿入／返却口４４は、会員カードＭＣを受け入れてこれを会員カード処理部４０１に取り込む一方、会員カード処理部４０１において所望の処理を施した後の会員カードＭＣを返却するための開口である。会員カード処理部４０１は、取り込んだ会員カードＭＣに磁気記録されている会員識別情報を読み取り、その読み取り結果を後述の発行制御部４０２に与える部分である。
【００３７】
プリペイドカード発行口４５は、プリペイドカード処理部４０３で発行処理したプリペイドカードＰＣを排出するための開口である。プリペイドカード処理部４０３は、例えば、予め装填されたロール紙（図示せず）を適宜切断・印字・データ処理し、これをプリペイドカードＰＣとして発行する部分である。
【００３８】
紙幣挿入／返却口４６は、紙幣を受け入れてこれを紙幣処理部４０４に取り込む部分である。紙幣処理部４０４は、取り込まれた紙幣の金種を識別してその識別結果を後述の発行制御部４０２に与えると共に、識別可能な紙幣を金種別に分類して紙幣回収箱４０５に収納する一方、識別不能な紙幣を返却するための部分である。
【００３９】
選択スイッチ４７及び取消スイッチ４８は、それぞれ外部操作入力部として設けたもので、利用客によってＯＮ操作された場合に個別の検出信号を後述の発行制御部４０２に与える部分である。
【００４０】
表示部４９は、後述の発行制御部４０２から与えられた入力ガイダンス等の各種情報を表示するための部分であり、例えば液晶表示器によって構成してある。
【００４１】
ハンディ収容凹部４２ａは、補助扉体４２ｂによって開閉可能、かつ扉体４２の主錠手段４３とは個別の補助錠手段４２ｃによって施錠可能な凹所である。この補助錠手段４２ｃには、施錠状態にあるか否かを検出すると共に、その検出結果を常時、発行制御部４０２に与える施錠検出センサ４０６を設けてある。上記ハンディ収容凹部４２ａには、ハンディ端末入力機４０７を設けてある。
【００４２】
ハンディ端末入力機４０７は、各種機能スイッチやテンキースイッチを備えて構成したもので、内部操作入力として機能する。このハンディ端末入力機４０７の各種機能スイッチやテンキーがＯＮ操作された場合には、上述した選択スイッチ４７や取消スイッチ４８と同様に、それぞれ個別の検出信号が後述の発行制御部４０２に与えられることになる。
【００４３】
発行制御部４０２は、予め与えられたプログラムや会員カード処理部４０１、紙幣処理部４０４、選択スイッチ４７、取消スイッチ４８、施錠検出センサ４０６及びハンディ端末入力機４０７から与えられた情報に基づいて各部の制御を行うための部分である。
【００４４】
この発行制御部４０２は、第１通信インタフェース部４０８及び第２通信インタフェース部４０９を通じて外部と適宜情報交換することが可能である。本実施の形態では、第１通信インタフェース部４０８が、後述する島コントローラ６０を介してターミナルコントローラ１０に接続してある一方、第２通信インタフェース部４０９が、デビット子機７０に接続してある。
【００４５】
次に、図４及び図６を参照しながらデビット子機７０を説明する。デビット子機７０は、外観的には、図４に示すように、筐体７１の前面に設けた扉体７２にデビットカード挿入／返却口７４、レシート排出口７５、表示部７６及び外部操作入力部７７を備えていると共に、扉体７２を開成した場合に露出する部分に内部操作入力部７８を備えている。また、デビット子機７０は、プログラムやデータに基づいて各種機能を遂行するために必要な内部構成として、図６に示すように、デビット制御部７０１、記憶部７０２、デビットカード処理部７０３、レシート発行部７０４、集計処理部７０５、照合処理部７０６、第１通信インタフェース部７０７及び第２通信インタフェース部７０８を備えている。
【００４６】
デビット制御部７０１は、記憶部７０２に格納されているプログラムやデータに基づいて各種機能を実行するものである。また、デビット制御部７０１は、デビットカード処理部７０３、外部操作入力部７７及び内部操作入力部７８から与えられた情報に基づいて各部の制御を行う。例えば、デビットカード処理部７０３による処理内容及び外部操作入力部７７の操作内容に応じてデビット決済処理を実行する機能を有している。また、デビット制御部７０１は、第１通信インタフェース部７０７及び第２通信インタフェース部７０８を介して外部と適宜情報交換することが可能である。
【００４７】
デビットカード挿入／返却口７４は、デビットカードＤＣを受け入れてこれをデビットカード処理部７０３に取り込む一方、デビットカード処理部７０３において所望の処理を施した後のデビットカードＤＣを返却するための開口である。デビットカード処理部７０３は、取り込んだデビットカードＤＣに磁気記録されている情報を読み取り、その読み取り結果を後述のデビット制御部７０１に与える部分である。
【００４８】
レシート排出口７５は、レシート発行部７０４において印字処理されたレシートＲＣを排出するための開口である。レシート発行部７０４は、後述のデビット制御部７０１から与えられた情報をレシートＲＣとして印字出力するための部分である。例えば、デビット決済による取引が行われた場合には、該取引の明細書が印字出力される。更には、所定の操作に基づいて、日計集計あるいは月計集計された売上処理結果が印字出力される。
【００４９】
表示部７６は、後述のデビット制御部７０１から与えられた入力ガイダンスや設定ガイダンス等の各種情報を表示するための部分であり、例えば液晶表示器によって構成してある。例えば、日計集計あるいは月計集計された売上処理結果がディスプレイ表示される。
【００５０】
外部操作入力部７７は、確認キー７７ａや取消スイッチ７７ｂ等の各種機能スイッチ、さらにはデビットカードＤＣの暗証番号を入力するためのテンキー７７ｃを備えて構成したものである。この外部操作入力部７７の所定のキーがＯＮ操作された場合には、その操作されたキーに対応する検出信号が後述のデビット制御部７０１に与えられることになる。
【００５１】
内部操作入力部７８は、集計処理すべき旨を指示するための指示キー７８ａと、売上情報を集計させる際に、日計集計か月計集計かを指定するための日計処理モード及び月計処理モードに対応する日計モードキー７８ｂ、月計モードキー７８ｃと、集計処理結果を出力させる際に、表示か印刷かを指定するための表示モード及び印刷モードに対応する表示モードキー７８ｄ、印刷モードキー７８ｅと、後述する情報処理センタ１００１で集計した売上集計結果と、自局（デビット子機７０）で集計した売上集計結果とを照合すべく旨を指定するための照合モードに対応する照合モードキー７８ｆと、上述した各キーの操作内容を有効にするための確定キー７８ｇとを有している。
【００５２】
この内部操作入力部７８の所定のキーがＯＮ操作された場合には、その操作されたキーに対応する検出信号が、デビット制御部７０１、集計処理部７０５あるいは照合処理部７０６に与えられることになる。
【００５３】
この実施の形態１では、指示キー７８ａと、日計モードキー７８ｂ及び月計モードキー７８ｃの何れかのモードキーと、表示モードキー７８ｄ及び印刷モードキー７８ｅの何れかのモードキーとが押下され、その後、確定キー７８ｇが押下された場合には、各キー７８ａ〜７８ｅの操作内容が有効化されるように設定されている。また、各キー７８ａ〜７８ｅの押下に加えて、照合モードキー７８ｆが押下され、その後、確定キー７８ｇが押下された場合には、各キー７８ａ〜７８ｆの操作内容が有効化されるように設定されている。
【００５４】
指示キー７８ａ、日計モードキー７８ｂ、月計モードキー７８ｃが押下され操作内容が有効化された場合には、これらのキーに対応する検出信号が集計処理部７０５に与えられ、また表示モードキー７８ｄ、印刷モードキー７８ｅが押下され操作内容が有効化された場合には、これらのキーに対応する検出信号がデビット制御部７０１に与えられ、さらに照合モードキー７８ｆが押下され操作内容が有効化された場合には、このキーに対応する検出信号がデビット制御部７０１及び照合処理部７０６に与えられる。
【００５５】
集計処理部７０５は、後述する前提条件に従って売上集計処理を実行すると共に、指示キー７８ａ、日計モードキー７８ｂ、月計モードキー７８ｃがＯＮ操作されたキーに対応する検出信号に基づいて所定の処理を実行する。すなわち、指示キー７８ａ及び日計モードキー７８ｂに対応する検出信号に基づいて、１日分の売上情報を集計し、この売上集計結果をデビット制御部７０１に与える。一方、指示キー７８ａ及び月計モードキー７８ｃに対応する検出信号に基づいて、１ヶ月分の売上情報を集計し、この売上集計結果をデビット制御部７０１に与える。
【００５６】
デビット制御部７０１は、表示モードキー７８ｄに対応する検出信号に基づいて、集計処理部７０５から受け取った売上集計結果と、情報処理センタ１００１からの売上集計結果とを比較可能なように、表示部７６に表示させる。一方、印刷モードキー７８ｅに対応する検出信号が入力されていた場合には、集計処理部７０５から受け取った売上集計結果と、情報処理センタ１００１からの売上集計結果とを比較可能なように、レシート発行部７０４からレシートを発行させる。
【００５７】
また、デビット制御部７０１は、表示モードキー７８ｄまたは印刷モードキー７８ｅに対応する検出信号と、照合モードキー７８ｆに対応する検出信号とを入力した場合には、集計処理部７０５から受け取った売上集計結果と、情報処理センタ１００１からの売上集計結果とを、照合処理部７０６に渡して照合処理を依頼する。そして照合処理部７０６からの照合結果は、表示モードキー７８ｄまたは印刷モード７８ｅに対する検出信号に応じて、表示部７６によって表示されるか、あるいはレシート発行部７０４からレシート発行される。
【００５８】
照合処理部７０６は、デビット制御部７０１から渡された２つの売上集計結果を照合し、この照合した結果をデビット制御部７０１に返す。なお、この照合処理部７０６による照合については、下記の実施の形態３において詳述する。
【００５９】
本実施の形態１では、デビット子機７０は、上述したように、内部操作入力部７８の各キーの操作（押下）内容に応じて図７に示す内容にしたがった処理（事象内容）を実行するように設定されている。図７は、内部操作入力部７８の各キーの操作（押下）応じた事象内容の一例を示している。なお、図７において、記号「○」は該当するキーが押下されたことを示し、また、指示キー７８ａ及び確定キー７８ｇは押下されているものとする。
【００６０】
第１通信インタフェース部７０７はカード発行機４０との間でデータの送受信を行う。また、第２通信インタフェース部７０８は、公衆回線網１０００を介してデビットカードシステムの情報処理センタ１００１との間でデータの送受信を行う。
【００６１】
情報処理センタ１００１は、図１に示すように、クリアリングセンタ１０１１を含むＣＡＦＩＳ（Credit and Finance Information System）ネットワーク１０１０、並びに利用客の口座を有するデビットカード発行銀行１０２０、情報処理センタ１００１の口座を有する加盟店銀行１０４０に接続されている。
【００６２】
この情報処理センタ１００１では、デビット子機７０からの決済要求に含まれる各種情報に基づいてＣＡＦＩＳネットワーク１０１０のクリアリングセンタ１０１１に決済処理を依頼する。クリアリングセンタ１０１１は、デビットカード発行銀行（利用客の口座を有する銀行）、加盟店銀行１０４０（情報処理センタ１００１の口座を有する銀行）の間で決済処理を行う。
【００６３】
この決済処理には、即時実行が必要な処理と、予め設定した期間（例えば３営業日）の経過後に実施される処理とがある。即時処理が必要な処理としては、例えば、今回の決済要求に応じた金額をデビットカード発行銀行１０２０において利用客の口座から引き落とす処理がある。この即時処理が終了すると、クリアリングセンタ１０１１は、直ちに情報処理センタ１００１に対して処理が終了した旨の通知を行う。
【００６４】
通知を受けた情報処理センタ１００１は、この通知に基づき、公衆回線網１０００を介して、決済要求を送出したデビット子機７０に対して決済終了通知を送信する。なお、即時実行分以外の決済処理は、予め決められた期間（例えば３営業日）の経過後に実施され、上述したクリアリングセンタ１０１１や情報処理センタ１００１のセンタ手数料を差し引いた代金が○○銀行１０５０が有するカード会社センタ１０６０の口座に振り込まれる。さらにその後、カード会社と遊技店との取決めに従い、○○銀行１０５０におけるカード会社センタ１０６０の口座から△△銀行１０７０が有する遊技店の口座に対して、最終的に、プリペイドカードの使用度数に基づいて算出される代金が振り込まれることになる。
【００６５】
次に、デビット子機７０が売上集計処理を実施する際の前提条件について説明する。本実施の形態１では、デビット子機７０の集計処理部７０５は、図示しない内部タイマを有しており、この内部タイマに基づいて、図８に示すように、情報処理センタ１００１が売上集計処理を実施する基準とすべく周期に同期して売上集計処理を実施するように設定されている。具体的には、情報処理センタ１００１は、図８に示すように、例えばＹ日の時刻ｔ０（００：００）〜時刻ｔ１（２４：００）までの２４時間を１周期Ｔとし、同様に、（Ｙ＋１）日の時刻ｔ１（００：００）〜時刻ｔ２（２４：００）までの２４時間を１周期Ｔとした場合に、この周期Ｔ（１日単位）毎に、この周期内において取引された取引情報（つまり売上情報）の集計処理（つまり売上集計処理）を実施するように設定してある。
【００６６】
同様に、集計処理部７０５も、Ｙ日の時刻ｔ０（００：００）〜時刻ｔ１（２４：００）までの２４時間を１周期Ｔとし、同様に、（Ｙ＋１）日の時刻ｔ１（００：００）〜時刻ｔ２（２４：００）までの２４時間を１周期Ｔとした場合に、この周期Ｔ（１日単位）毎に、この周期内において取引された取引情報（つまり売上情報）の集計処理（つまり売上集計処理）を実施するように設定してある。
【００６７】
また、図８において、例えば、時刻ｔ０をＸ月の初日の００：００とし、時刻ｔ１をＸ月の最終日の２４：００とした場合には、周期Ｔは１ヶ月となり、また、時刻ｔ１を（Ｘ＋１）月の初日の００：００とし、時刻ｔ２を（Ｘ＋１）月の最終日の２４：００とした場合にも、周期Ｔは１ヶ月となる。従って、情報処理センタ１００１及びデビット子機７０（の集計処理部７０５）において、この周期Ｔ（１ヶ月単位）毎に、この周期内において取引された取引情報（つまり売上情報）の集計処理（つまり売上集計処理）を実施することにより、１ヶ月分の集計結果を得ることができる。厳密には、１ヶ月は、２８日（又は２９日）、３０日、３１日の何れかであるが、この実施の形態では、周期Ｔ（１ヶ月単位）は、その日数には関係なく、１月、２月、・・・、１２月などの当月の初日から最終日までの期間を示すものとする。
【００６８】
なお、この実施の形態１では、所定の１日における時刻００：００〜時刻２４：００までの２４時間を１周期Ｔとした場合に、この１周期Ｔ分についての売上集計処理を「１日単位売上集計処理」と定義し、この１日単位売上集計処理により得られた結果を「１日単位売上集計処理結果」と定義する。また、所定の月の１日における時刻００：００〜当該所定の月の最終日における時刻２４：００までの１ヶ月を１周期Ｔとした場合に、この１周期Ｔ分についての売上集計処理を「１ヶ月単位売上集計処理」と定義し、この１ヶ月単位売上集計処理された結果を「１ヶ月単位売上集計処理結果」と定義する。
【００６９】
因みに、情報処理センタ１００１は、所定の周期Ｔを経過した所定の時点において、定期的に、「１日単位売上集計処理結果」あるいは「１ヶ月単位売上集計処理結果」を、デビット子機７０に対して送信するように設定してある。
【００７０】
次に、デビット子機７０の決済処理について図９を参照して説明する。図９はその決済処理動作を示すフローチャートである。以下においては、デビット決済要求のみが行われ、デビット決済取り消し要求は行われないものとする。
【００７１】
デビット子機７０では、デビット制御部７０１は、デビット決済要求があるか否かを判断し（ステップＳ１０１）、この要求がある場合には、そのデビット決済要求を情報処理センタ１００１に対して送信する（ステップＳ１０２）。
【００７２】
このデビット決済要求があるか否かの判断は、デビットカード処理部７０３を通じてデビットカードＤＣが挿入され、また外部操作入力部７７のテンキー７７ｃの操作による暗証番号の入力され、さらに確認キー７７ａが押下されたか否かに基づいて行われる。また、デビットカードＤＣが挿入された場合は、そのデビットカードＤＣのカード情報を読み取り、このカード情報に含まれる口座番号を取得する。さらに、カード発行機４０からは、選択スイッチ４７における選択されたスイッチを示す選択情報つまり入金金額情報が送信されてくるので、この入金金額情報を取得する。なお、デビット決済要求には、上述した口座番号、暗証番号及び入金金額の各情報が含まれている。
【００７３】
情報処理センタ１００１では、デビット子機７０からの決済要求に含まれる各種情報に基づいてＣＡＦＩＳネットワーク１０１０のクリアリングセンタ１０１１に決済処理を依頼する。クリアリングセンタ１０１１は、デビットカード発行銀行（利用客の口座を有する銀行）１２０、加盟店銀行１０４０（情報処理センタ１００１の口座を有する銀行）の間で決済処理を行う。クリアリングセンタ１０１１では、上述した即時処理を実施し、その後、情報処理センタ１００１に対して処理が終了した旨の通知を行う。通知を受けた情報処理センタ１００１は、この通知に基づき、公衆回線網１０００を介して、決済要求を送出したデビット子機７０に対して決済終了通知（デビット決済結果）を送信する。
【００７４】
デビット制御部７０１は、情報処理センタ１００１からの決済終了通知（デビット決済結果）を受信したか否かを判断し（ステップＳ１０３）、決済終了通知を受信した場合には、その決済終了通知に基づいてデビット決済が正常に終了したか否かを判断し（ステップＳ１０４）、正常に終了した場合には、この決済終了通知（デビット決済結果）を記憶部７０２に格納すると共に（ステップＳ１０５）、正常終了した旨をカード発行機４０に対して送信する。
【００７５】
正常終了した旨を受信したカード発行機４０においては、上述した選択情報つまり入金金額情報に応じた有価価値（度数）が価値付けされたプリペイドカードが発行されたり、前もって挿入された会員カードやプリペイドカードに該有価価値が価値付けされることになる。
【００７６】
上記ステップＳ１０５を終了したデビット制御部７０１は制御権を集計処理部７０５に渡す。この集計処理部７０５では、内部タイマ（図示せず）に基づいて、一定のタイミングつまり「当日の２４：００」に達したか否かを判断し（ステップＳ１０６）、一定のタイミングに達していない場合には、上記ステップＳ１０１に戻り、一方、一定のタイミングに達した場合は、「売上集計処理（ＴＯＴＡＬ１）」（この処理の詳細については後述する）つまり「１日単位売上集計処理」を実行し（ステップＳ１０７）、その後、上記ステップＳ１０１に戻る。ステップＳ１０１においては、制御権は、集計処理部７０５からデビット制御部７０１に渡される。
【００７７】
ステップＳ１０４において異常終了であると判断したデビット制御部７０１は、異常処理を実施した後（ステップＳ１０８）、上記ステップＳ１０１に戻る。ステップＳ１０８の異常処理では、例えば、エラー（デビット決済エラー）である旨が表示部７６に表示されると共に、レシート発行部７０４からエラーで旨が印字されたレシートが発行される。
【００７８】
上記ステップＳ１０１においてデビット決済要求でないと判断したデビット制御部７０１は、制御権を集計処理部７０５に渡す。この集計処理部７０５は、集計処理指示があるか否かを判断し（ステップＳ１０９）、指示がない場合には上記ステップＳ１０１に戻り、一方、指示がある場合には、「売上集計処理（ＴＯＴＡＬ２）」（この処理の詳細については後述する）を実行し（ステップＳ１１０）、その後、この処理を終了する。
【００７９】
次に、上述した決済処理においてデビット決済が全て正常に終了したものとした場合における売上集計処理に着目して説明する。この場合の売上集計処理を、図１０を参照して説明する。図１０は、デビット子機７０、情報処理センタ１００１及び利用客の銀行間で実施される情報の送受信処理手順を示すシーケンス図である。
【００８０】
図１０において、決済要求＃１の「＃１」は決済要求が１回目であることを示し、決済結果＃１の「＃１」は決済要求＃１に対する決済結果であることを示すもとする。同様に、例えば、決済要求＃１２０の「＃１２０」は決済要求が１２０回目であることを示し、決済結果＃１２０の「＃１２０」は決済要求＃１２０に対する決済結果であることを示すもとする。
【００８１】
まず、Ｘ月Ｙ日の時間００：００を経過した後、デビット子機７０に対して決済要求＃１があった場合には、上述したようにデビット子機７０からの決済要求＃１は、公衆回線網１０００を介して情報処理センタ１００１に送信される。この情報処理センタ１００１では、クリアリングセンタ１０１１に決済処理を依頼する。クリアリングセンタ１０１１は、デビットカード発行銀行（利用客の口座を有する銀行）１０２０との間で決済処理を行う。この決済結果＃１（決済終了通知）は、デビットカード発行銀行１０２０からクリアリングセンタ１０１１を介して、情報処理センタ１００１に入力される。情報処理センタ１００１では、受け取った決済結果＃１を、自己の記憶装置（図示せず）に格納すると共に、公衆回線網１０００を介してデビット子機７０に対して送信する。デビット子機７０では、デビット制御部７０１が、情報処理センタ１００１からの決済結果＃１を記憶部７０２に格納する。以後、デビット子機７０に対して決済要求がある毎に、上記同様の決済処理が行われる。
【００８２】
そして、Ｘ月Ｙ日の時刻２４：００に達すると、デビット子機７０では、集計処理部７０５は、記憶部７０２に格納されているＹ日（図８の周期Ｔに相当）分の決済結果を基に「売上集計処理（ＴＯＴＡＬ１）」つまり「１日単位売上集計処理」を実施する。この「売上集計処理（ＴＯＴＡＬ１）」は、図９に示した決済処理においけるステップＳ１０７の「売上集計処理（ＴＯＴＡＬ１）」に相当するものである。この「売上集計処理（ＴＯＴＡＬ１）」では、具体的は、決済結果＃１から決済結果＃１２０までの１２０の決済結果が集計されることになる。
【００８３】
しかし、Ｘ月Ｙ日の時刻２４：００を経過した後においても、デビット子機７０に対して決済要求がある場合には、上述したような決済処理が行われる。ここで、決済要求＃１２１から決済要求＃１２３の３つの決済要求が順次行われると、上述したようにして、これらに対応する決済結果＃１２１〜決済結果＃１２３がデビット子機７０に入力されることになる。デビット子機７０では、デビット制御部７０１が決済結果＃１２１〜決済結果＃１２３を順次、記憶部７０２に格納する。
【００８４】
そして、Ｘ月（Ｙ＋１）日の時刻００：４５の時点において、係員が、図７に示した例における事象内容を実施させるべく内部操作入力部７８を操作して集計指示を行ったとする。
【００８５】
すると、集計処理部７０５は、記憶部７０２に記憶されているＹ日（図８の周期Ｔに相当）の決済結果、及び（Ｙ＋１）日の時刻００：００〜時刻００：４５までの時間の間の決済結果に基づいて、「売上集計処理（ＴＯＴＡＬ２）」を実施する。この「売上集計処理（ＴＯＴＡＬ２）」では、具体的には、決済結果＃１から決済結果＃１２３までの１２３の決済結果が集計されることになる。
【００８６】
この実施の形態１では、この「売上集計処理（ＴＯＴＡＬ２）」を「日計売上集計処理」と定義し、この「日計売上集計処理」により得られた結果を「日計売上集計処理結果」と定義することとする。
【００８７】
ところで、一日単位集計処理結果及び日計売上集計処理結果は、上述した内部操作入力部７８のキー７８ａ〜７８ｆの押下状態（図７参照）に応じて、表示部７６に表示されるか、あるいはレシート発行部７０４からレシートとして発行されレシート排出口７５から排出される。
【００８８】
図１１は、表示部７６に表示される「日計売上集計処理結果」及び「１日単位売上集計処理結果」の一例を示している。また、図１２は、レシート排出口５５から排出されるレシートに印字される「日計売上集計処理結果」及び「１日単位売上集計処理結果」の一例を示している。なお、図１１および図１２において、「日計」の欄の情報が「日計売上集計処理結果」に相当し、「デビット決済集計」の欄の情報が「１日単位売上集計処理結果」に相当する。
【００８９】
すなわち、集計処理部７０５は、係員の集計指示が行われ無くとも、記憶部７０２の記憶内容に基づいて、集計対象とする所定の周期Ｔにおいて自局が処理した決済結果の「１日単位売上集計処理」を実施すると共に、記憶部７０２の記憶内容に基づいて、集計対象とする所定の周期Ｔ、及び任意の時点（時刻００：４５）を含む今回の周期（（Ｙ＋１）日に対応する周期Ｔ）における起点となる時点（時刻００：００）から当該任意の時点（時刻００：４５）までの期間中における自局が処理した決済結果の「日計売上集計処理」を実行する。
【００９０】
なお、上述した実施の形態１では、周期Ｔが１日の場合について説明したが、周期Ｔが１ヶ月の場合も、上記同様の処理を実施することで「１ヶ月単位売上集計処理結果」及び「月計売上集計処理結果」を求めることができる。
【００９１】
また、上述した実施の形態１では、周期Ｔが１日の場合において、時刻００：００〜時刻２４：００までの２４時間としたが、本発明はこれに限定されることなく、例えば当日の時刻０１：００〜翌日の時刻０１：００までの２４時間という具合に、周期Ｔは２４時間であれば良い。
【００９２】
以上説明したように、実施の形態１によれば、デビット子機７０は、情報処理センタ１００１から受信した取引情報を記憶しておき、情報処理センタ１００１により取引を集計する際の基準時刻に基づいて、記憶した所定の期間の取引情報（１日単位売上集計処理結果）を集計するよう構成したので、情報処理センタ１００１による集計処理の結果と同一の集計結果を取得することができる。このため、係員により集計操作がなされる場合のように両者のずれがなくなり、集計作業を迅速かつ効率良くおこなうことが可能になる。
【００９３】
なお、デビット子機７０によって集計された集計結果（１日単位売上集計処理結果）と情報処理センタ１００１から受信した集計結果とを、照合可能に表示形式あるいは印刷形式で出力するようデビット子機７０を構成することもできる。これによって、係員が集計結果を対比しつつ、その相違を確認することが可能になる。
【００９４】
（実施の形態２）
実施の形態１では、集計処理部７０５は、一定のタイミングに達した時点で「１日単位売上集計処理」を実施するようにしているが、本発明はこれに限定されることなく、係員による集計処理指示があった後、「１日単位売上集計処理」及び「日計売上集計処理」を実施するようにしても良い。
【００９５】
そこで、この実施の形態２では、係員による集計処理指示があった後に、「１日単位売上集計処理」及び「日計売上集計処理」が実施される場合の処理について説明する。なお、この実施の形態２では、図１に示した実施の形態１である遊技システムの構成と同様の構成になっている。
【００９６】
この場合、集計処理部７０５は、内部タイマ（図示せず）を有しているものの、実施の形態１の場合とは異なり、情報処理センタ１００１が売上集計処理を実施すべく周期Ｔに同期して、売上集計処理を実施せず、係員による集計指示があった時点で、「一日単位売上集計処理」及び「日計売上集計処理」を実施するように設定してある。
【００９７】
図１３に示すように、デビット子機７０では、デビット制御部７０１は、図９に示した第１の実施の形態における処理手順のステップＳ１０１〜Ｓ１０５の処理と同様の処理を実施し（ステップＳ２０１〜ステップＳ２０５）、その後、制御権を集計処理部７０５に渡す。
【００９８】
集計処理部７０５は、集計処理指示があるか否かを判断し（ステップＳ２０６）、指示がない場合には上記ステップＳ２０１に戻り、一方、指示がある場合には、「売上集計処理（ＴＯＴＡＬ１）」つまり「１日単位売上処理」を実行すると共に（ステップＳ２０７）、「売上集計処理（ＴＯＴＡＬ２）」つまり「日計売上処理」を実行する（ステップＳ２０８）。このステップＳ２０８が終了した場合には、この処理が終了する。
【００９９】
ステップＳ２０１においてデビット決済でないと判断された場合は、ステップＳ２０６に進む。この場合は、制御権はデビット制御部７０１から集計処理部７０５に渡される。また、ステップＳ２０４において決済終了通知が異常終了であると判断したデビット制御部７０１は、ステップＳ２０９を介してステップＳ２０１に戻る。
【０１００】
次に、上述した決済処理においてデビット決済が全て正常に終了したものととした場合における売上集計処理に着目して説明する。この場合の売上集計処理を、図１４を参照して説明する。図１４は、デビット子機７０、情報処理センタ１００１及びデビットカード発行銀行１０２０の間で実施される情報の送受信処理手順を示すシーケンス図である。
【０１０１】
この実施の形態２では、図１４に示すシーケンス図においては、決済要求＃１、・・・、＃１２０、＃１２１、・・・、＃１２３、及び決済結果＃１、・・・、＃１２０、＃１２１、・・・、＃１２３は、図１０に示した実施の形態１の場合と同様のタイミングで送受信されているものとする。また、係員による集計処理指示を行うタイミング（時点）も、図１０に示した実施の形態１の場合と同様に、時刻００：０４５であるものとする。従って、ここでは、デビット決済に関する情報の送受信処理については省略する。
【０１０２】
ところで、この実施の形態２では、集計処理部７０５は、図１４に示すように時刻００：００〜時刻２４：００（時刻００：００）の間の周期Ｔの時刻２４：００に達した場合であっても、「一日単位売上集計処理」は実施しない。
【０１０３】
しかし、次の周期Ｔにおける時刻００：４５において、係員による集計指示（具体的には内部操作入力部７８の操作）があった場合、集計処理部７０５は、記憶部７０２の記憶内容に基づいて、集計対象とする周期Ｔ（（Ｙ＋１）日に対応する周期）において自局が処理した決済結果の集計処理（すなわち「一日単位売上処理」）を実施すると共に、前記集計対象とする周期Ｔ、及び任意の時点を含む今回の周期における起点となる時点から当該任意の時点までの期間中における自局が処理した決済結果の集計処理（すなわち「日計売上処理」）を実施する。
【０１０４】
この例では、「一日単位売上処理」及び「日計売上処理」は、図９に示した実施の形態１の場合と同様の決済結果についての集計処理が実施される。その結果として、一日単位売上集計処理結果及び日計売上集計処理結果は、上述した内部操作入力部７８のキー７８ａ〜７８ｆの押下状態（図７参照）に応じて、表示部７６に表示されるか（図１１参照）、あるいはレシート発行部７０４からレシートとして発行されレシート排出口７５から排出される（図１２参照）。
【０１０５】
なお、上述した実施の形態２では、周期Ｔが１日の場合について説明したが、周期Ｔが１ヶ月の場合も、上記同様の処理を実施することで「１ヶ月単位売上集計処理結果」及び「月計売上集計処理結果」を求めることができる。
【０１０６】
以上説明したように、実施の形態２によれば、上記実施の形態１と同様の作用効果を期待することができる。
【０１０７】
（実施の形態３）
この実施の形態３では、実施の形態１、２におけるデビット子機７０による売上集計処理の結果と、情報処理センタ１００１から送信されてくる売上処理結果とに基づく、デビット子機７０による所定の処理について説明する。ここでは、「１日単位売上集計処理」及び「日計売上集計処理」が実施される場合の処理について説明する。なお、この実施の形態２では、図１に示した実施の形態１である遊技システムの構成と同様の構成になっている。
【０１０８】
デビット子機７０では、上述した実施の形態１、２の場合と同様にして、「一日単位売上集計処理」及び「日計売上集計処理」が実施され、結果として、上述した実施の形態１、２の場合と同様の「一日単位売上集計処理結果」及び「日計売上集計処理結果」が得られる。
【０１０９】
一方、情報処理センタ１００１は、決済依頼元（遊技店）のデビット子機７０から依頼されたデビット決済に関する取引情報（売上情報）を、例えば１日単位で集計し、この売上集計結果を決済依頼元のデビット子機７０に送信するように設定してある。
【０１１０】
そこで、デビット子機７０において、デビット制御部７０１は、集計処理部７０５から取得した売上集計結果すなわち、「一日単位売上集計処理結果」及び「日計売上集計処理結果」のうち、係員（遊技店）が一日の売上の締めとして集計処理させた結果である「日計売上集計処理結果」を一時的に保持すると共に、情報処理センタ１００１から送信される売上集計結果（これは「一日単位集計処理結果」に相当）を取得する。
【０１１１】
そして、デビット制御部７０１は、一時的に保持している「日計売上集計処理結果」と、情報処理センタ１００１からの売上集計結果（「一日単位集計処理結果」相当）とを比較可能に表示するよう、これらの処理結果を含む表示依頼要求をターミナルコントローラ１０に対して送信する。この表示依頼要求は、カード発行機４０、島コントローラ６０を介してターミナルコントローラ１０に入力される。
【０１１２】
ターミナルコントローラ１０では、ＣＰＵ１１が、デビット子機７０からの２つの売上処理結果を比較可能に表示部１５に表示する。図１５は、表示部１５に表示される売上処理結果の対比例を示したものである。
【０１１３】
なお、上記実施の形態３では、デビット子機７０では、自己が処理した「日計売上集計処理結果」と、情報処理センタ１００１からの売上集計結果（「一日単位集計処理結果」相当）とを比較可能に表示するようにしているが、ターミナルコントローラ１０にプリンタを設けて、印刷形式で出力するようにしてもよい。
【０１１４】
次に、実施の形態３の応用について説明する。この場合、デビット子機７０では、デビット制御部７０１は、上述したようにして取得した「日計売上集計処理結果」と、情報処理センタ１００１からの売上集計結果（「一日単位集計処理結果」相当）とを照合するよう、これらの処理結果を含む照合依頼要求を照合処理部７０６に送出する。この照合依頼要求を受け取った照合処理部７０６は、受け取った２つの売上処理結果の照合処理を実施し、この照合処理結果つまり相互に一致しない決済結果をデビット制御部７０１に送出する。
【０１１５】
デビット制御部７０１は、照合処理部７０６からの照合結果を表示するよう、この照合結果を含む表示依頼要求をターミナルコントローラ１０に対して送信する。この表示依頼要求は、カード発行機４０、島コントローラ６０を介してターミナルコントローラ１０に入力される。
【０１１６】
ターミナルコントローラ１０では、ＣＰＵ１１が、デビット子機７０からの照合結果を表示部１５に表示する。図１６は、表示部１５に表示される照合結果例を示したものである。
【０１１７】
なお、この実施の形態３では、デビット制御部７０１は、照合処理部７０６による照合結果が、デビット子機７０の表示部７６に表示可能な場合は、表示依頼要求をターミナルコントローラ１０に送信することなく、当該照合結果を表示部７６に表示するようにしても良い。また、照合処理部７０６による照合結果を、レシート発行部７０４によってレシートに印字して出力するようにしてもよいし、ターミナルコントローラ１０にプリンタを設けて、印刷形式で出力するようにしてもよい。
【０１１８】
以上説明したように、実施の形態３によれば、デビット子機７０では、自己が処理した「日計売上集計処理結果」と、情報処理センタ１００１からの売上集計結果（「一日単位集計処理結果」相当）とを比較可能に、表示形式あるいは印刷形式で出力させるようにしているので（図１５参照）、遊技店の係員は、これらの処理結果の異同のチェックを容易に行うことが可能となる。
【０１１９】
また、実施の形態３によれば、デビット子機７０が処理した結果である「日計売上集計処理結果」と、情報処理センタ１００１からの売上集計結果（「一日単位集計処理結果」相当）とを照合し、これらの売上集計結果で相互に一致しない決済結果のみを、表示形式あるいは印刷形式で出力させるようにしているので（図１６参照）、遊技店の係員は、１日分の売上として締めたデビット決済の取引のうち、２日分に跨って計上している決済結果を容易に認識することができる。
【０１２０】
（実施の形態４）
上述した実施の形態１〜３では、デビット子機７０の集計処理部７０５は、内部タイマ（図示せず）の計時に基づいて、周期Ｔ内において取引された決済結果であるか否かを判断するようにしているが、本発明はこれに限定されることなく、情報処理センタ１００１から送信される決済結果を含む電文情報に記録されている決済時間情報に基づいて、周期Ｔ内において取引された決済結果であるか否かを判断するようにしても良い。
【０１２１】
そこで、実施の形態４では、電文情報に記録されている決済時間情報に基づいて、周期Ｔ内において取引された決済結果であるいか否かを判定する処理について説明する。なお、この実施の形態４では、図１に示した実施の形態１である遊技システムの構成と同様の構成になっている。
【０１２２】
図１７は、デビット子機７０、情報処理センタ１００１及び利用客の銀行間で実施される情報の送受信処理手順を示すシーケンス図である。
【０１２３】
デビット子機７０の集計処理部７０５は、例えば、決済結果＃１２０を含んでいる電文情報に記録されている決済時間情報に基づいて、当該決済結果＃１２０がＹ日に対応する周期Ｔ内（図８参照）において取引されたものであるかを判定する。この場合、利用者の銀行において決済された時間が「２３：５９：４５（２３時５９分４５秒）」を示す旨であった場合には、利用者の銀行の端末からは、この決済時間と、決済結果＃１２０（決済金額、決済された旨などの情報）とがセットされた電文情報が送信されることとなる。この電文情報は、上述したようにクリアリングセンタ１０１１及び情報処理センタ１００１を介して、デビット子機７０に入力される。
【０１２４】
デビット子機７０では、デビット制御部７０１が取得した電文情報を記憶部７０２に格納する。集計処理部７０５が、内部タイマの計時を基に周期Ｔ分についての「一日単位売上集計処理」を実施するべく、記憶部７０２を検索した際に、時刻２４：００近傍において取引された決済結果については、内部タイマの計時の値を参照せずに、電文情報に記録されている決済時間情報を参照して、当該周期Ｔにおいて取引されたかを判定する。
【０１２５】
具体的には、集計処理部７０５は所定のタイミング「２４：００：００（２４時００分００秒）」に達した時点で「一日単位売上集計処理」を実施するのであるから、時刻「００：００：３０（午前０時０分３０秒）に受信された決済結果＃１２０は本来ならば（Ｙ＋１）日目において取引されたものとなる。しかし、本実施の形態４では、所定のタイミングから一定時間を経過した時点までの取引については、電文情報に含まれる決済時簡情報を参照するように設定されているので、集計処理部７０５は、電文情報に含まれる決済時簡情報を参照し、この参照の結果、決済時間は「２３：５９：４５（２３時５９分４５秒）」であると認識して、決済結果＃１２０を、Ｙ日において取引されたものとして売上集計処理を実施する。
【０１２６】
以上説明したように、実施の形態４によれば、デビット子機７０は、電文情報に付加される決済時簡情報の基づいて所定の周期（期間）において取引されたデビット決済分の決済結果であるか否かを判定するようにしているので、一定のタイミング近傍においてデビット決済が行われた場合であっても、実態に即した正確な所定の周期分についての売上集計処理結果を求めることができ、よって、遊技店の係員は、より一層、実態に即した売上を把握することが可能となる。
【０１２７】
【発明の効果】
以上説明したように、請求項１の発明によれば、情報処理センタから受信した取引情報を記憶しておき、情報処理センタにより取引を集計する際の基準時刻に基づいて、記憶した所定の期間の取引情報を集計するよう構成したので、情報処理センタによる集計処理の結果と同一の集計結果を取得することができる。このため、係員により集計操作がなされる場合のように両者のずれがなくなり、集計作業を迅速かつ効率良くおこなうことができる。
【０１２８】
また、請求項２の発明によれば、集計された集計結果と前記情報処理センタから受信した集計結果とを照合可能に出力するよう構成したので、係員が集計結果を対比しつつ、その相違を確認することができる。
【０１２９】
また、請求項３の発明によれば、所定の期間は、１日または１月としたので、一日単位または一月単位の集計結果を迅速かつ効率良く照合し、もって照合作業を迅速かつ効率良くおこなうことができる。
【０１３０】
また、請求項４の発明によれば、情報処理センタから受信した取引情報を記憶しておき、情報処理センタにより取引を集計する際の基準時刻に基づいて、記憶した所定の期間の取引情報を集計するよう構成したので、情報処理センタによる集計処理の結果と同一の集計結果を取得することができる。このため、係員により集計操作がなされる場合のように両者のずれがなくなり、集計作業を迅速かつ効率良くおこなうことができる。
【０１３１】
また、請求項５の発明によれば、集計された集計結果と前記情報処理センタから受信した集計結果とを照合可能に出力するよう構成したので、係員が集計結果を対比しつつ、その相違を確認することができる。
【０１３２】
また、請求項６の発明によれば、所定の期間は、１日または１月としたので、一日単位または一月単位の集計結果を迅速かつ効率良く照合し、もって照合作業を迅速かつ効率良くおこなうことができる。
【０１３３】
また、請求項７の発明によれば、請求項４〜６のいずれか一つに記載された方法をコンピュータに実行させることで、そのプログラムを機械読み取り可能となり、これによって、請求項４〜６のいずれか一つの動作をコンピュータによって実現することができる。
【図面の簡単な説明】
【図１】本発明の実施の形態１である遊技システムの概略構成を示すブロック図である。
【図２】実施の形態１におけるターミナルコントローラの内部構成を示すブロック図である。
【図３】実施の形態１におけるターミナルコントローラに格納された度数管理テーブルを示す図である。
【図４】実施の形態１で適用するデビット子機及びカード発行機の外観を示す正面図である。
【図５】実施の形態１におけるカード発行機の内部構成を示すブロック図である。
【図６】実施の形態１におけるデビット子機の内部構成を示すブロック図である。
【図７】実施の形態１における内部操作入力部のキー操作に応じた事象内容の一例を示す図である。
【図８】実施の形態１におけるデビット子機の売上集計処理の前提条件を説明するための図である。
【図９】実施の形態１におけるデビット子機の決済処理の処理動作を示すフローチャートである。
【図１０】実施の形態１におけるデビット子機、情報処理センタ及びデビットカード発行銀行の間で実施される情報の送受信処理手順を示すシーケンス図である。
【図１１】実施の形態１におけるデビット子機による売上集計処理の結果の表示例を示す図である。
【図１２】実施の形態１におけるデビット子機による売上集計処理の結果の印字例を示す図である。
【図１３】実施の形態２におけるデビット子機の決済処理の処理動作を示すフローチャートである。
【図１４】実施の形態２におけるデビット子機、情報処理センタ及びデビットカード発行銀行の間で実施される情報の送受信処理手順を示すシーケンス図である。
【図１５】実施の形態３におけるデビット子機による売上集計処理の結果の表示例を示す図である。
【図１６】実施の形態３におけるデビット子機による照合処理の結果の表示例を示す図である。
【図１７】実施の形態４におけるデビット子機、情報処理センタ及びデビットカード発行銀行の間で実施される情報の送受信処理手順を示すシーケンス図である。
【符号の説明】
１０  ターミナルコントローラ
１１  ＣＰＵ
１２  ＲＡＭ
１３  ＲＯＭ
１４  入力部
１５  表示部
１６  通信インタフェース部
２０  パチンコ機
３０  カード処理ユニット
４０  カード発行機
４４  会員カード挿入／返却口
４５  プリペイドカード発行口
４６  紙幣挿入／返却口
４７  選択スイッチ
４８  取消スイッチ
４９  表示部
５０  カード精算機
６０  島コントローラ
７０  デビット子機
７１  筐体
７２  扉体
７３  主錠手段
７４  デビットカード挿入／返却口
７５  レシート排出口
７６  表示部
７７  外部操作入力部
７８  係員モードスイッチ（内部操作入力部）
７８ａ  指示キー
７８ｂ  日計モードキー
７８ｃ  月計モードキー
７８ｄ  表示モードキー
７８ｅ  印刷モードキー
７８ｆ  照合モードキー
７８ｇ  確定キー
７０１  デビット制御部
７０２  記憶部
７０３  デビットカード処理部
７０４  レシート発行部
７０５  集計処理部
７０６  照合処理部
７０７  第１通信インタフェース部
７０８  第２通信インタフェース部
１０００  公衆回線網
１００１  情報処理センタ
１０１１  ＣＡＦＩＳネットワーク
１０２０  デビットカード発行銀行
１０４０  加盟店銀行
１０５０  ○○銀行
１０６０  カード会社センタ
１０６１  公衆回線網
１０７０  △△銀行
【図１】
0003914026.tif 000002
【図２】
0003914026.tif 000003
【図３】
0003914026.tif 000004
【図４】
0003914026.tif 000005
【図５】
0003914026.tif 000006
【図６】
0003914026.tif 000007
【図７】
0003914026.tif 000008
【図８】
0003914026.tif 000009
【図９】
0003914026.tif 000010
【図１０】
0003914026.tif 000011
【図１１】
0003914026.tif 000012
【図１２】
0003914026.tif 000013
【図１３】
0003914026.tif 000014
【図１４】
0003914026.tif 000015
【図１５】
0003914026.tif 000016
【図１６】
0003914026.tif 000017
【図１７】
0003914026.tif 000018